(57)【要約】【課題】吸汗性及びその後の乾燥、低温化が良好なポリエステル繊維糸をエチレン−ポリビニルアルコール共重合体で被覆した繊維の使用を前提として、緊締バンドを用いずに、低コストで、転倒時の腸骨及び大転子の骨折を防護する転倒防護下半身用衣類の提供。【解決手段】ポリエステル繊維糸をエチレン−ポリビニル共重合繊維糸で被覆してなる繊維で織成若しくは編成される伸縮性の布帛を用いた衣類主体を有する転倒防護下半身用衣類において、衣類主体の腹部から腰部にかけての全周囲の範囲内で、加熱によって形成される伸縮性低減部を備えた転倒防護下半身用衣類を、解決手段とする。【選択図】  図１４
2010070891.tif 000002
【特許請求の範囲】
【請求項１】
ポリエステル繊維糸をエチレン−ポリビニル共重合繊維糸で被覆してなる繊維で織成若しくは編成される伸縮性の布帛を用いた衣類主体を有する転倒防護下半身用衣類において、
衣類主体の腹部から腰部にかけての全周囲の範囲内で、加熱によって形成される伸縮性低減部を備えたことを特徴とする転倒防護下半身用衣類。
【請求項２】
伸縮性低減部の表面が、布帛の構成繊維におけるエチレン−ポリビニル共重合繊維糸が溶融して近接する他のエチレン−ポリビニル共重合繊維糸と相互に融着することで繊維中の交絡点が増加して、前記伸縮性低減部は衣類主体の布帛よりも定荷重伸び率を低減したことを特徴とする請求項１記載の転倒防護下半身用衣類。
【請求項３】
伸縮性低減部は、定荷重約９．８Ｎでの定荷重伸び率が約３０％乃至９４％程度である請求項１又は２記載の転倒防護下半身用衣類。
【請求項４】
伸縮性低減部が模様輪郭部を形成してなることを特徴とする請求項１、２又は３記載の転倒防護下半身用衣類。
【請求項５】
伸縮性低減部の模様輪郭部が水玉模様であることを特徴とする請求項４記載の転倒防護下半身用衣類。
【請求項６】
衣類主体は、股関節を保護する保護パッドを備えたことを特徴とする請求項１、２、３、４又は５記載の転倒防護下半身用衣類。
【請求項７】
衣類主体の保護パッドが、股関節の腸骨を保護する腸骨保護部と大転子を保護する大転子保護部とを一体とし、腸骨保護部と大転子保護部との間に切欠部を形成したことを特徴とする請求項６記載の転倒防護下半身用衣類。
【請求項８】
衣類主体は、保護パッドを収納するためのパッド収納袋を備えたことを特徴とする請求項６又は７記載の転倒防護下半身用衣類。
【請求項９】
保護パッドは、外面側が低反発ウレタンからなり、内面側が高反発ウレタンからなる二層構造を備えたことを特徴とする請求項６、７又は８記載の転倒防護下半身用衣類。
【発明の詳細な説明】
【技術分野】
【０００１】
本発明は、転倒の阻止及び転倒時の怪我から守る転倒防護下半身用衣類に関し、特に、姿勢の保持による転倒防止、及び、転倒時の股関節（特には、腸骨及び大転子）の骨折を防護する転倒防護下半身用衣類に関する。
【背景技術】
【０００２】
スポーツや歩行時等に転倒することで、股関節を骨折することがある。股関節の骨折は長期の入院を要することもあり、スポーツを行う者であれば長期の練習不可能な期間（ブランク）ができ、高齢者であれば、寝たきりとなる可能性も高い。
このような観点から、従来、着用することで、下半身の矯正を行って安全な歩行を実現するものや、転倒時の防護手段を備える下半身用衣類に関する発明が多数出願されている。
【０００３】
下半身の矯正を目的とするものの一例としては、パンツ主体に、腰の仙腸関節を所要の圧力でするための所要幅の緊締バンドを縫着するとともに、該緊締バンドに腸骨間に入り込む所要幅でかつ所要の厚みを有するクッション材を取着してなる仙腸関節緊締バンド付きパンツ（例えば、特許文献１参照。）が公知である。
【０００４】
また、大転子を保護する衣類を示すものとして、伸縮性を有する素材によって形成された容器と、前記容器に容器の全容積の１／２〜１／３の量で充填された流動性物質とからなる緩衝パーツと、前記緩衝パーツを身体に装着するためのベルトと、を備え、前記ベルトで身体に装着した際に、前記緩衝パーツが少なくとも両足の大腿骨大転子部を覆うことを特徴とする緩衝用具を備えた衣類であって、少なくとも衣類の両足の大腿骨大転子部に相当する部分に該緩衝パーツを収納するための袋を有し、前記袋に該緩衝パーツを収納し、袋の上から該ベルトによって装着する衣類（例えば、特許文献２参照。）が公知である。
【０００５】
更に、下肢に着用し前側が開閉可能な下肢用衣服において、衣服を形成する生地の裏面に両脇の腸骨棘付近を覆って設けられた一対のシート状のクッション材と、前記一対のクッション材の後側端部同士を連結し腰を覆う帯状の後弾性ベルトと、一方の前記クッション材の前側端部に連続し腹部を覆い他方の前記クッション材に繋がる前弾性ベルトと、前記前弾性ベルトを着脱可能に前記生地に対して係止する係止部材が設けられていることを特徴とする下肢用衣服（例えば、特許文献３参照。）が公知である。
【０００６】
一方、繊維、布帛に関する発明に関しては、例えば、表面と裏面で形成されている編物又は織物からなる衣料用布帛であって、前記表面は主として疎水性繊維糸で形成され、前記裏面は主として親水性エチレンビニルアルコール繊維糸とポリエステル繊維糸で形成され、前記親水性エチレンビニルアルコール繊維の吸湿率は、温度：２０℃、相対湿度：６５％ＲＨのとき、１．５〜６．５％の範囲であり、前記裏面に存在するポリエステル繊維糸は、繊維表面に親水性ウレタン樹脂、親水性ポリエステル樹脂及び親水性ビニル樹脂から選ばれた少なくとも一つの親水性樹脂が固着されており、前記親水性樹脂が固着されたポリエステル繊維の吸湿率は、温度：２０℃、相対湿度：６５％ＲＨのとき、０．３〜１．５％の範囲である衣料用布帛（例えば、特許文献４参照。）が公知である。
【０００７】
また、エチレンビニルアルコール繊維糸とポリエステル繊維糸で形成される繊維、布帛に関して、エチレンビニルアルコール系共重合体を耐熱安定性のよい熱溶融型ポリマーとの複合繊維における表面のエチレンビニルアルコール系共重合体がスチームアイロン等の使用により、部分的に軟化や微膠着を生じ、風合いや外観が悪化すること（例えば、特許文献５参照。）が開示されている。
【０００８】
【特許文献１】実開平２−８４１８号公報
【特許文献２】特開２００２−３５０２１号公報
【特許文献３】特開２００７−７７５１６号公報
【特許文献４】特許第３９５４５５９号
【特許文献５】特公平７−８４６８１号公報
【発明の開示】
【発明が解決しようとする課題】
【０００９】
上記特許文献１に係る発明は、緊締バンドによって一定の矯正を行い、緊締バンドに腸骨間に入り込む所要幅でかつ所要の厚みを有するクッション材を取着してなることで、擦れや痛みを防止するものであるが、緊締バンドを装着した構成であることによって、全体として嵩張ることで、着用時のシルエットの崩れを生じることが多い。また、緊締バンドの使用によって、着用時に違和感を生じやすい欠点もある。更には、緊締バンドを設ける必要性から製造コストが上昇する欠点もあった。
【００１０】
特許文献２に係る発明は、衣類の両足の大腿骨大転子部に相当する部分に該緩衝パーツを収納するための袋を有し、前記袋に該緩衝パーツを収納し、袋の上から該ベルトによって装着するものであり、概ね転倒時の保護に関しては良好であると考えられる。しかしながら、装着が非常に煩雑であり、特許文献１と同様にシルエットが崩れやすい欠点があった。また、緊締バンドを設ける必要性から製造コストが上昇する欠点もあった。
【００１１】
特許文献３に係る発明は、衣類の内部にクッション材とゴムベルト（内側前ゴムベルト、外ゴムベルト、外側前ゴムベルト）を設けた構成のものであり、簡単な構造と、すっきりとした外観体裁とすることができる点で優れた旨を主張するものである。しかしながら、着用に際しては、衣類を着用した後、腹部に内側前ゴムベルトを当て、その外側に外側前ゴムベルトと面ファスナー受け面を重ね、内側前ゴムベルトの面ファスナーと面ファスナー受け面を適した位置で係止する。（適した位置とは、一対のクッション材、後ゴムベルト、内側前ゴムベルト、外側前ゴムベルトで形成される輪が腰回りの長さよりも少し短く、適度な緊締力が得られる位置である。）そして、スライドファスナーを閉じ、フックを止めて衣服を着用状態にするという、手間を要する。また、上記特許文献１及び特許文献２と同様に、構成が複雑となり、製造コストが上昇する欠点がある。
【００１２】
ところで、繊維、布帛に関し、吸汗性及びその後の乾燥、低温化が良好な素材として、ポリエステル繊維糸をエチレン−ポリビニルアルコール共重合体で被覆した繊維（例えば、クラレ社のソフィスタ（登録商標）等）が製造販売されている。
【００１３】
先に示した特許文献４に係る衣料用布帛は、親水性エチレンビニルアルコール繊維糸とポリエステル繊維糸を用いてなる衣料用布帛であり、エチレンビニルアルコール系共重合体の分子中に形成されている水酸基による良好な吸水性と、疎水性のポリエステル繊維による速乾性とを衣服の裏側生地に利用したものである。
【００１４】
特許文献５に開示されるように、親水性エチレンビニルアルコール繊維糸とポリエステル繊維糸を用いてなる繊維は、高温高圧染色やスチームアイロン等による加熱処理によって繊維表面に露出するエチレン−ビニルアルコール系共重合体成分が部分的に軟化や微膠着を生じ、生地の風合いや外観の悪化を招来することが知られている。
【００１５】
本発明は、吸汗性及びその後の乾燥、低温化が良好な素材として、ポリエステル繊維糸をエチレン−ポリビニルアルコール共重合体で被覆した繊維の使用を前提として、緊締バンドを用いずに、着用者が違和感を生じることがなく、低コストで、転倒時の腸骨及び大転子の骨折を防護できる転倒防護下半身用衣類の提供を、発明が解決しようとする課題とする。
【課題を解決するための手段】
【００１６】
本発明は、ポリエステル繊維糸をエチレン−ポリビニル共重合繊維糸で被覆してなる繊維で織成若しくは編成される伸縮性の布帛を用いた衣類主体を有する転倒防護下半身用衣類において、衣類主体の腹部から腰部にかけての全周囲の範囲内で、加熱によって形成される伸縮性低減部を備え、該伸縮性低減部の表面が布帛の構成繊維におけるエチレン−ポリビニル共重合繊維糸が溶融して近接する他のエチレン−ポリビニル共重合繊維糸と相互に融着することで繊維中の交絡点が増加して、前記伸縮性低減部は衣類主体の布帛よりも定荷重伸び率を低減した転倒防護下半身用衣類を、課題を解決するための手段とする。
【００１７】
また、本発明は、上記転倒防護下半身用衣類に係る発明につき、伸縮性低減部の表面が、布帛の構成繊維におけるエチレン−ポリビニル共重合繊維糸が溶融して近接する他のエチレン−ポリビニル共重合繊維糸と相互に融着することで繊維中の交絡点が増加して、前記伸縮性低減部は衣類主体の布帛よりも定荷重伸び率を低減した転倒防護下半身用衣類を、課題を解決するための手段とする。
【００１８】
また、本発明は、上記転倒防護下半身用衣類に係る発明につき、伸縮性低減部は、定荷重約９．８Ｎでの伸び率が約３０％乃至９４％程度である転倒防護下半身用衣類を、課題を解決するための手段とする。
【００１９】
更に、本発明は、上記発明の構成を備え、伸縮性低減部の形状を模様輪郭部とする転倒防護下半身用衣類を、課題を解決するための手段とする。
【００２０】
また、本発明は、伸縮性低減部の形状を模様輪郭部とし、且つ、伸縮性低減部の模様輪郭部が水玉模様であることを特徴とする転倒防護下半身用衣類を、課題を解決するための手段とする。尚、本発明における「水玉模様」は、構成する模様の単位が真円形である必要はなく、楕円や多角形状等を含む趣旨である。
【００２１】
また、本発明は、上記いずれかの転倒防護下半身用衣類につき、衣類主体は、股関節を保護する保護パッドを備えた転倒防護下半身用衣類を、課題を解決するための手段とする。
【００２２】
また、本発明は、上記衣類主体の保護パッドが、股関節の腸骨を保護する腸骨保護部と大転子を保護する大転子保護部とを一体とし、腸骨保護部と大転子保護部との間に切欠部を形成した構成である転倒防護下半身用衣類を、課題を解決するための手段とする。
【００２３】
更に、本発明は、上記保護パッドを収納するためのパッド収納袋を衣類主体に備えたことを特徴とする転倒防護下半身用衣類を、課題を解決するための手段とする。
【００２４】
また、本発明は、上記保護パッドが、外面側が低反発ウレタンからなり、内面側が高反発ウレタンからなる二層構造を備えた構成とした転倒防護下半身用衣類を、課題を解決するための手段とする。
【発明の効果】
【００２５】
請求項１に係る発明によれば、ポリエステル繊維糸をエチレン−ポリビニル共重合繊維糸で被覆してなる繊維で織成若しくは編成される伸縮性の布帛を用いた衣類主体を有する転倒防護下半身用衣類において、衣類主体の腹部から腰部にかけての全周囲の範囲内で、加熱によって形成される伸縮性低減部を備えた転倒防護下半身用衣類としたことで、従来の吸汗性、速乾性、伸縮性を保持した上で、加熱形成した伸縮性低減部が腹部から腰部にかけて骨盤を矯正し、転倒を未然に防止することができる。
【００２６】
また布帛における伸縮性低減部以外の部分は、伸縮性を備えているから、当該伸縮性を有する部分は体の動きに応じて大きく伸縮するため、伸縮性低減部の位置がずれることもないから、適度に伸縮性が低減された伸縮性低減部の矯正機能と該伸縮性低減部に隣接する伸縮性布帛のずれ防止という補助作用によって、転倒防護下半身用衣類全体が機能的に連携し、骨盤の矯正機能を発揮する。
【００２７】
更に、本請求項１に係る発明は、骨盤に対する矯正手段が、一枚の布帛に対して部分的に熱処理加工を行い伸縮性の異なる部分を形成した構成によってなるので、従来公知の転倒防護下半身用衣類のような二以上の布帛を縫着等する構成とは異なり、継ぎ目がなく僅かに厚みの変化による段差が形成される程度であるので、シルエットが崩れることもない。
【００２８】
また、伸縮性低減部が、布帛に対する熱処理による加工のみで形成できるので、製造コストの低廉化を図ることができる。
【００２９】
更に、本請求項１に係る発明は、ベルト等の別個独立した締縛手段を備えず、専ら上記伸縮性低減部によって矯正を行うものであるから、当該転倒防護下半身用衣類を身につけるだけで、他の操作を必要としないから、着用に際した煩わしさを解消できる。
【００３０】
請求項２に係る発明によれば、上記請求項１に係る発明の作用効果を備えた上で、伸縮性低減部の表面が布帛の構成繊維におけるエチレン−ポリビニル共重合繊維糸が溶融して近接する他のエチレン−ポリビニル共重合繊維糸と相互に融着することで繊維中の交絡点が増加して、前記伸縮性低減部は衣類主体の布帛よりも定荷重伸び率を低減したことで、布帛の風合いや外観が悪化を招来しない転倒防護下半身用衣類を提供することができる。
【００３１】
請求項３に係る発明によれば、上記請求項１に係る発明の構成において、定荷重約９．８Ｎでの定荷重伸び率が約３０％乃至９４％程度であるので、伸縮性低減部の伸縮性が完全に失われた固化状態にあるのではなく、布帛における伸縮性低減部以外の部分よりも伸縮性が低減された状態となる。当該構成とすることで、伸縮性低減部の肌触りが固いものではなくあくまでも肌着やスポーツウェアとして好適な範囲で低減された伸縮性と肌触りを保つことができ、伸縮性低減部によって着用者が違和感を生じないものとすることができる。
【００３２】
請求項４に係る発明によれば、上記請求項１又は２の発明の構成について、伸縮性低減部が模様輪郭部を形成することで、コストの上昇を招来することなく、外観をより良好とすることができる。
【００３３】
請求項５に係る発明によれば、伸縮性低減部の形状を模様輪郭部とし、且つ、伸縮性低減部の模様輪郭部が水玉模様であることによって、請求項４のように、外観を良好にすることができることは勿論、模様輪郭部が、水玉模様を部分的に多数設ける構成としたことによって、模様以外の部分との伸縮性のバランスをとることで、布帛全体の伸縮性を調節することができる。
【００３４】
請求項６に係る発明によれば、上記請求項１、２、３、４又は５記載の発明の構成について、衣類主体は、股関節を保護する保護パッドを備えた構成としたから、上記請求項１、２、３、４又は５記載の発明の作用効果を奏することができる上に、保護パッドによって万一の転倒時に、股関節への転倒による衝撃から防護することができる。
【００３５】
請求項７に係る発明によれば、上記請求項６の構成について、衣類主体の保護パッドが、股関節の腸骨を保護する腸骨保護部と大転子を保護する大転子保護部とを一体とし、腸骨保護部と大転子保護部との間に切欠部を形成した構成としたことから、腸骨保護部と大転子保護部との自由度が高い状態とし、大腿部の動きに大転子保護部が従動し、着用者の動きを阻害することもなく、確実に腸骨及び大転子を保護することができる。
【００３６】
請求項８に係る発明によれば、上記請求項６又は請求項７につき、保護パッドを収納するためのパッド収納袋を備えた構成としたから、収納袋を形成することで、保護パッドに二重の布帛が接することとなり、股関節の保護をより十分なものとすることができる。
【００３７】
請求項９に係る発明によれば、上記請求項６、請求項７又は請求項８につき、保護パッドは、外面側が低反発ウレタンからなり、内面側が高反発ウレタンからなる二層構造を備えた構成としたから、外面側からの衝撃を低反発ウレタンで緩和し、内面側に配置される高反発ウレタンによって着用者への直接の負荷を吸収し、股関節の保護をより十分なものとすることができる。
【発明を実施するための最良の形態】
【００３８】
本発明は、ポリエステル繊維糸をエチレン−ポリビニル共重合繊維糸で被覆してなる繊維で織成若しくは編成される伸縮性の布帛を用いた衣類主体を有する転倒防護下半身用衣類において、衣類主体の腹部から腰部にかけての全周囲の範囲内で、加熱によって形成される伸縮性低減部を備え、該伸縮性低減部の表面が布帛の構成繊維におけるエチレン−ポリビニル共重合繊維糸が溶融して近接する他のエチレン−ポリビニル共重合繊維糸と相互に融着することで繊維中の交絡点が増加して、前記伸縮性低減部は衣類主体の布帛よりも定荷重伸び率を低減した転倒防護下半身用衣類としたことで、従来の吸汗性、速乾性、伸縮性を保持した上で、加熱形成した伸縮性低減部が腹部から腰部にかけて骨盤を矯正し、転倒を未然に防止でき、また、継ぎ目がなく僅かに厚みの変化による段差が形成される程度であるので、シルエットが崩れることもなく、
布帛における伸縮性低減部以外の部分は、伸縮性を備えているから、当該伸縮性を有する部分は体の動きに応じて大きく伸縮するため、伸縮性低減部の位置がずれることもないから、適度に伸縮性が低減された伸縮性低減部の矯正機能と該伸縮性低減部に隣接する伸縮性布帛のずれ防止という補助作用によって、転倒防護下半身用衣類全体が機能的に連携し、骨盤の矯正機能を発揮し、
ベルト等の別個独立した締縛手段を備えない構成としたことで、専ら上記伸縮性低減部によって矯正を行うものであるから、当該転倒防護下半身用衣類を身につけるだけで、他の操作を必要としないから、着用に際した煩わしさを解消でき、
定荷重約９．８Ｎでの定荷重伸び率が約３０％乃至９４％程度であるので、伸縮性低減部の伸縮性が完全に失われた固化状態にあるのではなく、布帛における伸縮性低減部以外の部分よりも伸縮性が低減された状態となる。当該構成とすることで、伸縮性低減部の肌触りが固いものではなくあくまでも肌着やスポーツウェアとして好適な範囲で低減された伸縮性と肌触りを保つことができ、
衣類主体は、股関節を保護する保護パッドを備えた構成としたから、保護パッドによって万一の転倒時に、股関節への転倒による衝撃から防護でき、
前記保護パッドが、股関節の腸骨を保護する腸骨保護部と大転子を保護する大転子保護部とを一体とし、腸骨保護部と大転子保護部との間に切欠部を形成した構成としたことから、腸骨保護部と大転子保護部との自由度が高い状態とし、大腿部の動きに大転子保護部が従動し、着用者の動きを阻害することもなく、確実に腸骨及び大転子を保護することができ、
更に保護パッドを収納するためのパッド収納袋を備えた構成としたから、収納袋を形成することで、保護パッドに二重の布帛が接することとなり、股関節の保護をより十分なものとすることができ、保護パッドは、外面側が低反発ウレタンからなり、内面側が高反発ウレタンからなる二層構造を備えた構成としたから、外面側からの衝撃を低反発ウレタンで緩和し、内面側に配置される高反発ウレタンによって着用者への直接の負荷を吸収し、股関節の保護をより十分なものとすることができる転倒防護下半身用衣類を実現した。
【実施例】
【００３９】
図１は本発明の実施例１に係る転倒防護下半身用衣類の正面図、図２は同実施例１に係る転倒防護下半身用衣類の背面図、図３は同実施例１に係る転倒防護下半身用衣類を側方から折り畳んだ状態を示す側面図、図４は実施例２に係る転倒防護下半身用衣類の正面図、図５は同実施例２に係る転倒防護下半身用衣類の背面図、図６は同実施例２に係る転倒防護下半身用衣類を側方から折り畳んだ状態を示す側面図、図７は同実施例２に係る転倒防護下半身用衣類の衣類主体に収納される保護パッドの平面図、図８は同実施例２に係る転倒防護下半身用衣類の保護パッドを示す正面図、図９は同実施例２に係る転倒防護下半身用衣類の保護パッドの右側面図、図１０は同実施例２に係る転倒防護下半身用衣類の保護パッドの底面図、図１１は同実施例２に係る転倒防護下半身用衣類の保護パッドの左側面図、図１２は同実施例２に係る転倒防護下半身用衣類の保護パッドの（ａ）Ａ−Ａ断面図、（ｂ）その拡大図、図１３は着用者の骨盤の各部を示す説明図、図１４は本発明の実施例２に係る転倒防護下半身用衣類、保護パッドと、着用者の骨盤との位置関係を示す参考図、図１５は本発明の他の実施例に係る転倒防護下半身用衣類を示す正面図、図１６は本発明の他の実施例に係る転倒防護下半身用衣類を側方から折り畳んだ状態を示す側面図、図１７は本発明の他の実施例に係る転倒防護下半身用衣類に使用する保護パッドを示す正面図、図１８は本発明の他の実施例に係る転倒防護下半身用衣類に使用する保護パッドを示す（ａ）正面図（ｂ）拡大底面図である。
【００４０】
（実施例１）
本発明の実施例１に係る転倒防護下半身用衣類Ｐは、図１乃至図３に示すように、当該転倒防護下半身用衣類Ｐの主要構成部分となる衣類主体１を備える。
【００４１】
本実施例１に係る衣類主体１は、ポリエステル繊維糸をエチレン−ポリビニル共重合繊維糸で被覆してなる繊維（本実施例では、クラレ株式会社製ソフィスタ（登録商標））で編成される伸縮性の布帛からなる。
【００４２】
本実施例１に係る衣類主体１は、構成部材である右片生地１０と左片生地１１とからなる。右片生地１０及び左片生地１１を夫々裁断した後、伸縮性低減部１３を形成し、次いで、前記右片生地１０と左片生地１１を対向し、対向する両側部及び下端部を縫合して一体とする。以上により、本実施例１に係る衣類主体１自体は、生地が二重とならず、一枚物として構成される。
【００４３】
衣類主体１の上端１４の全周の内側には、布帛の内側に腰部１２のずり下がりを防止するための伸縮性の腰部締縛帯体５を縫着している。尚、この腰部締縛帯体５は、一般的な下半身用衣類と同様の、腰部１２のずり下がりの防止手段であり、骨盤の矯正を行うものではない。
【００４４】
衣類主体の上端から概ね３０ｍｍ乃至４０ｍｍ程度下方となる位置を上限として、腹部から腰部にかけての全周囲の範囲内で、概ね幅６０ｍｍ乃至８０ｍｍの帯状で、伸縮性低減部１３を備える。該伸縮性低減部１３は、熱プレス手段で高温加圧されて形成される。本実施例での伸縮性低減部１３は、１７０℃で３０秒間の熱プレスを行うことで形成している。
【００４５】
熱プレスによって、伸縮性低減部１３の表面は、布帛の構成繊維におけるエチレンーポリビニル共重合繊維糸が溶融し、近接する他のエチレンーポリビニル共重合繊維糸相互と融着することで、繊維中の交絡点が増加し、結果として伸縮性を低下させる。
【００４６】
即ち、本実施例１に係る発明の構成は、引用文献５等に開示されるような、エチレン−ポリビニル共重合繊維糸を加熱した際に生ずる部分的に軟化や微膠着を生じて風合いや外観が悪化するという、極端な物性にするのではなく、衣類主体の腹部から腰部にかけての全周囲の範囲内において、僅かに且つ均一に、硬化した部分を形成させることによって、布帛の定荷重時伸び率を約３０乃至約９５％の範囲に制御し、腰周りを一周させて骨盤に力をかけて矯正できる。そして、伸縮性低減部の肌触りが固いものではなく、あくまでも肌着やスポーツウェアとして好適な範囲で低減された伸縮性と肌触りを保つことができる。
【００４７】
また、伸縮性低減部１３が隣接する部分と同じ一枚の布帛で形成されるから、段差が殆ど生じない。このため、着用者が違和感を生じることもなく、重ね着されるアウターの外観に段差が形成されることもない。
【００４８】
これによって、非常に安価に伸縮性低減部による骨盤の矯正手段を実現でき、当該矯正手段によって、姿勢、歩行を安定されることができ、転倒を未然に防止することができる。
【００４９】
（実施例２）
図４乃至図１２に示すように、本発明の実施例２に係る転倒防護下半身用衣類Ｐは、実施例１に係る転倒防護下半身用衣類Ｐの改良であり、実施例１に係る転倒防護下半身用衣類Ｐの構成に加えて、腸骨９１及び大転子９０を保護するための保護パッド２を備えたものである。
【００５０】
本実施例２に係る転倒防護下半身用衣類Ｐは、衣類主体１とポリウレタン製の保護パッド２を備える。
【００５１】
図４乃至図６及び図１４に示すように、前記衣類主体１は、実施例１と同様のポリエステル繊維糸をエチレン−ポリビニル共重合繊維糸で被覆してなる繊維（クラレ株式会社製ソフィスタ（登録商標））からなる、構成部材である右片生地１０、左片生地１１を用い、更に、保護パッド２を収納するための保護パッド収納生地で形成されるパッド収納袋１６を有する。
【００５２】
右片生地１０、左片生地１１、二枚の保護パッド収納生地を夫々布帛から裁断した後、右片生地１０と左片生地１１に伸縮性低減部１３を形成する。その後、保護パッド収納生地の縁部のみを衣類主体１に対して、その表面側から縫着する。この状態で、前記右片生地１０と左片生地１１を対向し、対向する両側部及び下端部を縫合し、実施例２にかかる転倒防護下半身用衣類を形成する。
【００５３】
本実施例２に係るパッド収納袋１６には、保護パッド２の収納、取り出しを行うための開閉部１５を設けてある。開閉部１５には、生地の外側から操作可能なスライドファスナー１５０を用いてある。尚、スライドファスナー１５０は外側に露呈しないように、スライドファスナー１５０のレールに沿って相互に並行して設けた二枚の被覆片１５１で被覆してある。
【００５４】
本実施例２に係る保護パッド２は、図７乃至図１２に示すように、ウレタンフォーム層２０を二枚の外側生地２１で挟み、前記ウレタンフォーム層２０と外側生地２１の縁部全周を熱プレスすることで、形成される。腸骨保護部２２と大転子保護部２３とを一体に備え、平面視において、該腸骨保護部２２と大転子保護部２３との間に切欠部２４と幅狭のネック部２５を形成した構成である。縁部全周への熱プレスによって、縁端部から４ｍｍ乃至８ｍｍ程度の範囲の薄縁部２６が形成されている。薄縁部２６は可撓性を有する一方で、保護パッド２の形状を一定に保つ働きをするから、柔軟で変形しやすい腸骨保護部２２及び大転子保護部２３を有する保護パッド２を開閉部１５へ挿し込んだり、取り出したりする際には、操作を容易とすることができる。
【００５５】
前記ネック部２５は、幅１５ｍｍ程度であり、そのうちウレタンフォーム層２０が占める幅は約５ｍｍ程度である。このためネック部２５は非常に柔軟であり、保護パッド２を折りたたむ方向のみならず、切欠部２４の空間を埋める方向など、自在に曲げることができる。このように自由度が高いため、柔軟に腸骨９１及び大転子９０の向きを変更できるから、腸骨９１及び大転子９０に添って柔軟に体を保護することができる。
【００５６】
次に、本発明における伸縮性低減部１３の形成に関し、実効性を確認すべく下記に示す試験を行った。
【００５７】
本実施例において用いたポリエステル繊維糸をエチレン−ポリビニル共重合繊維糸で被覆してなる繊維（クラレ株式会社製ソフィスタ（登録商標））からなる生地につき、試験片５枚を縦方向、試験片５枚を横方向に引張り試験機を用いて、試験片の一端をクランプで固定し、他端に初荷重を加え、定間隔で試験片に印を付し、一定荷重をかけた状態で一分間放置後の印間の長さを測定し、繊維の定荷重伸び率（％）を算出した（ＪＩＳ  Ｌ  １０１８  カットストリップ法による。）。カットストリップ法の試験片幅は５ｃｍ、つかみ間隔は１０ｃｍとし、一定荷重が９．８１Ｎの条件下とした。また、低荷重伸び率は、１００（％）×（Ｌ１−Ｌ）／Ｌとした。ここで、Ｌはカットストリップ法によるもとの印間の長さ（ｃｍ）、Ｌ１は一定荷重をかけた後の印間の測定値である。
結果を以下の表１に示す。
【表１】
2010070891.tif 000003
【００５８】
以上の結果から、僅か１０℃刻みで温度を上昇させるだけで、定荷重伸び率に大きな差が生じ、物性が非常に異なる状態となった。
【００５９】
一方、上記表１には記載していないが、１７０℃３０秒未満では熱加工無しのものと比較して物性の変化が殆どみられなかった。また、１９０℃３０秒を超えると、繊維中のポリエステル糸が硬化して、品質の大幅な低下がみられた。
【００６０】
以上からすると、概ね１７０℃乃至１９０℃の範囲で、３０秒間程度加熱することで、骨盤の矯正に適した物性を実現できる。
【００６１】
また、１７０℃乃至１９０℃の範囲内であっても、僅か１０℃刻みで温度を上昇させるだけで、定荷重伸び率に大きな差が生じ、物性が非常に異なる状態となったことから、本発明においては、この加熱温度条件から生じる物性の相違を利用して、骨盤矯正に強い緊締力が必要な人や、弱い緊締力で十分な人といった、それぞれの需要に応じて、低荷重伸び率を調節した転倒防護下半身用衣類を提供することができる。例えば、本実施例１及び２においては、加熱条件を１７０℃３０秒としているが、これに限らず、例えば、加熱条件を１９０℃３０秒とすることで、低荷重伸び率を更に低減し、着用者にとってより強く矯正可能な転倒防護下半身用衣類を提供することができる。
【００６２】
尚、熱プレスによる加熱部分は面全体を加熱するものとしたが、本発明は当該構成に限るものではない。例えば、他の実施例として図１５に示すように、熱プレスによる加熱部分を、水玉模様状や星状等の模様輪郭１７として、部分的に熱プレスこともできる。
【００６３】
特に、水玉模様等のように部分的に熱プレスを行うことにより、熱プレスを行わない部分の伸縮性を確保することで、伸縮性の低減の程度を抑える調節を行うことができる。
【００６４】
また、上記実施例２に係る転倒防護下半身用衣類Ｐにおける開閉部１５はスライドファスナー１５０を用いたものとしたが、本発明はこれに限定するものではなく、他の公知の係着手段、例えば、雌雄スナップボタン、ボタン及びボタン孔、雌雄面ファスナー等を利用することができる。
【００６５】
更に、上記実施例２に係る転倒防護下半身用衣類に使用する保護パッド２は、上記実施例２に限るものではなく、例えば、図１７に他の実施例に係る保護パッド２として示すように、切欠部２４は複数個所有にするものであってもよい。
【００６６】
また、保護パッド２は、図１８（ａ）（ｂ）に示すように、外面側が低反発ウレタン２０ａからなり、内面側が高反発ウレタン２０ｂからなる二層構造を備えた構成とすることもできる。当該構成としたことで、外面側からの衝撃を低反発ウレタン２０ａで緩和し、内面側に配置される高反発ウレタン２０ｂによって着用者への直接の負荷を吸収し、股関節の保護をより十分なものとすることができる。当該二層構造の保護パッド２は更に、実施例１及び実施例２に開示した保護パッド２と同様に、外側生地２１で被覆してもよい。
【００６７】
また、上記実施例１及び実施例２に係る転倒防護下半身用衣類Ｐの衣類主体は、右片生地１１と左片生地１２からなる基本構造を使用したが、本発明は当該構成に限定するものではなく、例えば、他の実施例として図１６に示すように、前側生地１８と後側生地１９を用いたり、或いは一枚の生地片のみで形成したり、三枚以上の生地片を用いて全く異なる形状、縫製によって衣類主体を形成することができる。
【００６８】
更に、上記実施例１及び実施例２に係る転倒防護下半身用衣類Ｐの衣類主体は、編地からなるものを使用したが、織地からなる転倒防護下半身用衣類Ｐとすることもできる。この場合において、請求項３に係る発明に対応する伸縮性低減部としては、定荷重約９．８Ｎでの定荷重伸び率が約３０％乃至９４％程度であればよい。
【００６９】
また、本発明の上記実施例では、いずれも加熱時間を３０秒として行っているが、例えば加熱時間を変更することもできる。当該条件下であっても、請求項３に係る発明に対応する伸縮性低減部としては、最終的に定荷重約９．８Ｎでの定荷重伸び率が約３０％乃至９４％程度であればよい。
【００７０】
以上のように、本発明は、従来加熱により品質の劣化を生ずる点を逆に利用することによって、転倒防護下半身用衣類の所定の部位に、伸縮性の低下した伸縮性低減部を形成してこれを骨盤の矯正手段とし、伸縮性低減部の矯正機能と該伸縮性低減部に隣接する伸縮性布帛のずれ防止という補助作用によって、転倒防護下半身用衣類全体が機能的に連携させて骨盤の矯正機能を発揮できる、非常に優れた発明である。
【図面の簡単な説明】
【００７１】
【図１】本発明の実施例１に係る転倒防護下半身用衣類の正面図。
【図２】本発明の実施例１に係る転倒防護下半身用衣類の背面図。
【図３】本発明の実施例１に係る転倒防護下半身用衣類を側方から折り畳んだ状態を示す側面図。
【図４】本発明の実施例２に係る転倒防護下半身用衣類の正面図。
【図５】本発明の実施例２に係る転倒防護下半身用衣類の背面図。
【図６】本発明の実施例２に係る転倒防護下半身用衣類を側方から折り畳んだ状態を示す側面図。
【図７】本発明の実施例２に係る転倒防護下半身用衣類の衣類主体に収納される保護パッドの平面図。
【図８】本発明の実施例２に係る転倒防護下半身用衣類の保護パッドを示す正面図。
【図９】本発明の実施例２に係る転倒防護下半身用衣類の保護パッドの右側面図。
【図１０】本発明の実施例２に係る転倒防護下半身用衣類の保護パッドの底面図。
【図１１】本発明の実施例２に係る転倒防護下半身用衣類の保護パッドの左側面図。
【図１２】本発明の実施例２に係る転倒防護下半身用衣類の保護パッドの（ａ）Ａ−Ａ断面図、（ｂ）その拡大図。
【図１３】着用者の骨盤の各部を示す説明図。
【図１４】本発明の実施例２に係る転倒防護下半身用衣類、保護パッドと、着用者の骨盤との位置関係を示す参考図である。
【図１５】本発明の他の実施例に係る転倒防護下半身用衣類を示す正面図である。
【図１６】本発明の他の実施例に係る転倒防護下半身用衣類を側方から折り畳んだ状態を示す側面図である。
【図１７】本発明の他の実施例に係る転倒防護下半身用衣類に使用する保護パッドを示す正面図である。
【図１８】本発明の他の実施例に係る転倒防護下半身用衣類に使用する保護パッドを示す（ａ）正面図（ｂ）拡大底面図である。
【符号の説明】
【００７２】
Ｐ        転倒防護下半身用衣類
１        衣類主体
１０      右片生地
１１      左片生地
１２      腰部
１３      伸縮性低減部
１４      上端
１５      開閉部
１５０    スライドファスナー
１６      パッド収納袋
１７      模様輪郭
１８      前側生地
１９      後側生地
２        保護パッド
２０      ウレタンフォーム層
２０ａ    低反発ウレタン
２０ｂ    高反発ウレタン
２１      外側生地
２２      腸骨保護部
２３      大転子保護部
２４      切欠部
２５      ネック部
２６      薄縁部
９        骨盤
９０      大転子
９１      腸骨
【図１】
2010070891.tif 000004
【図２】
2010070891.tif 000005
【図３】
2010070891.tif 000006
【図４】
2010070891.tif 000007
【図５】
2010070891.tif 000008
【図６】
2010070891.tif 000009
【図７】
2010070891.tif 000010
【図８】
2010070891.tif 000011
【図９】
2010070891.tif 000012
【図１０】
2010070891.tif 000013
【図１１】
2010070891.tif 000014
【図１２】
2010070891.tif 000015
【図１３】
2010070891.tif 000016
【図１４】
2010070891.tif 000017
【図１５】
2010070891.tif 000018
【図１６】
2010070891.tif 000019
【図１７】
2010070891.tif 000020
【図１８】
2010070891.tif 000021